(57)【特許請求の範囲】
【請求項１】
回転するスプールに釣り糸が巻き付けられる両軸受リールのリール本体であって、
前記スプールの左右に配置された１対の側板と前記両側板を連結する複数の連結部とを有するフレームと、
前記各側板の側方を覆うよう装着された１対の側カバー部材と、
左右に長く形成された開口を有し、前記フレームの前方を覆うように装着された前カバー部材と、
前記前カバー部材の側部に両端が固着され、前記開口の上部から前方に間隔を隔てて配置された棒状の釣り針係止部と、
を備えた両軸受リールのリール本体。
【請求項２】
前記前カバー部材は、前記フレームに揺動かつ前後移動自在に装着されている、請求項１に記載の両軸受リールのリール本体。
【請求項３】
前記前カバー部材は、前方に引っ張られる力に抗して前記フレームに保持される保持部を有する、請求項２に記載の両軸受リールのリール本体。
【請求項４】
前記前カバー部材は、ネジにより前記フレーム又は前記側カバー部材に固定されている、請求項１に記載の両軸受リールのリール本体。
【請求項５】
前記釣り針係止部は、前記開口の上側に沿って左右に配置された横部材と、前記横部材の両端から前記前カバー部材に延びて固着される１対の側部材とを有する、請求項１から４のいずれかに記載の両軸受リールのリール本体。
【請求項６】
前記釣り針係止部は、金属製の線材を折り曲げたものである、請求項１から５のいずれかに記載の両軸受リールのリール本体。
【請求項７】
前記スプールの左右に配置された１対の側板と前記両側板を連結する複数の連結部とを有するフレームと、
前記各側板の側方を覆うよう装着された１対の側カバー部材と、
前記フレームの前方を覆うように装着された前カバー部材と、
前記前カバー部材から外方に間隔を隔てて配置された棒状の釣り針係止部と、
を備え、
前記前カバー部材は、前記フレームに揺動かつ前後移動自在に装着され、前方に引っ張られる力に抗して前記フレームに保持される保持部を有する、両軸受リールのリール本体。
【発明の詳細な説明】
【０００１】
【発明の属する技術分野】
本発明は、リール本体、特に、レベルワインド機構を有する両軸受リールのリール本体に関する。
【０００２】
【従来の技術】
バス釣り等のルアーフィッシングには、ベイトキャスティングリールと呼ばれる両軸受リールがよく使用される。両軸受リールは、一般に、リール本体と、リール本体に回転自在に支持されるスプールと、スプールを回転駆動するハンドルと、スプールに釣り糸を均一に巻き取るためのレベルワインド機構とを備えている。
【０００３】
リール本体は、左右に間隔を隔てて配置されその間にスプールが配置された１対の側板と、両側板を連結する複数の連結部とを有するフレームを備えている。また、リール本体は、各側板の側方を覆うよう装着された１対の側カバー部材と、側板間を前方で覆い前面にレベルワインド機構の釣り糸ガイドを臨む開口が形成された前カバー部材とを備えている。これらのカバー部材は、いずれも複雑な曲面形状のため合成樹脂製であることが多い。
【０００４】
このような両軸受リールを用いてルアーフィッシングを行うときには、パーミングと呼ばれる、左手で左横からリール本体を掌で覆うような握り方で竿とともにリールを握り、右手でハンドルを回すことが多い。
【０００５】
【発明が解決しようとする課題】
このような両軸受リールでルアーフィッシングを行い、釣り場を移動する際には、ルアーに装着された釣り針（フック）をリール本体の開口に引っ掛けることが、通常行われている。このように釣り針をリール本体の開口に引っ掛けると、ルアーが揺動せず、釣り針が他のものに引っ掛かりにくくなる。しかし、前記従来の両軸受リールでは、釣り針をリール本体の開口に係止すると、金属製の釣り針でリール本体の合成樹脂製のカバー部材を傷つけるおそれがある。また、リール本体は、合成樹脂製のカバー部材で覆われているので、開口以外の部分に金属製の釣り針を係止してもリール本体が傷つきやすい。
【０００６】
本発明の課題は、金属製の釣り針を係止しても傷つきにくいリール本体を提供することにある。
【０００７】
【課題を解決するための手段】
発明１に係る両軸受リールのリール本体は、回転するスプールに釣り糸が巻き付けられる両軸受リールのリール本体であって、フレームと、１対の側カバー部材と、前カバー部材と、釣り針係止部とを備えている。フレームは、スプールの左右に配置された１対の側板と、両側板を連結する複数の連結部とを有している。１対の側カバー部材は、各側板の側方を覆うよう装着されている。前カバー部材は、左右に長く形成された開口を有し、フレームの前方を覆うように装着されている。釣り針係止部は、前カバー部材の側部に両端が固着され、開口の上部から前方に間隔を隔てて配置された棒状の部材である。
【０００８】
この構造では、釣り針を棒状の釣り針係止部に係止すれば、釣り針係止部が前カバー部材の開口の上部から前方に間隔を隔てて配置されているので、釣り針がリール本体に当たりにくくなり、リール本体を傷つけにくい。しかも、釣り針係止部がリール本体の前側に配置されているので、リール本体をパーミングしても、釣り針係止部が邪魔になることはない。
【０００９】
発明２に係る両軸受リールのリール本体は、発明１に記載のリール本体において、前カバー部材は、フレームに揺動かつ前後移動自在に装着されている。この場合には、前カバー部材が開閉するので、釣り糸をレベルワインド機構の釣り糸ガイドに通しやすい。
【００１０】
発明３に係る両軸受リールのリール本体は、発明２に記載のリール本体において、前カバー部材は、前方に引っ張られる力に抗してフレームに保持される保持部を有する。この場合には、前カバー部材が引っ張られても簡単にフレームから外れない。このため、開閉する前カバー部材に設けられた釣り針係止部に釣り針を係止した状態で釣り糸が引っ張られても、前カバー部材が開きにくい。
【００１１】
発明４に係る両軸受リールのリール本体は、発明１に記載のリール本体において、前カバー部材は、ネジによりフレーム又は側カバー部材に固定されている。この場合には、前カバー部材がネジによりフレーム又は側カバー部材に固定されるので、それに設けられた釣り針係止部も動かなくなり、釣り針が釣り竿の弾性により引っ張られても釣り針係止部から外れることがない。
【００１２】
発明５に係る両軸受リールのリール本体は、発明１から４のいずれかに記載のリール本体において、前記釣り針係止部は、開口の上側に沿って左右に配置された横部材と、横部材の両端から前カバー部材に延びて固着される１対の側部材とを有する。この場合には、釣り針係止部が開口の上側に沿っているので、釣り竿との間隔が適度になり、釣り針を装着したルアーが釣り針の係止の邪魔にならず、かつルアーに装着された釣り針でも釣り針係止部に簡単に係止できる。
【００１３】
発明６に係る両軸受リールのリール本体は、発明１から５のいずれかに記載のリール本体において、前記釣り針係止部は、金属製の線材を折り曲げたものである。この場合には、線材を折り曲げるだけで釣り針係止部を簡単に製造できる。しかも金属製の線材を折り曲げた釣り針係止部を設けることでデザイン的にも斬新なイメージが得られる。
【００１４】
発明７に係る両軸受リールのリール本体は、回転するスプールに釣り糸が巻き付けられる両軸受リールのリール本体であって、フレームと、１対の側カバー部材と、前カバー部材と、釣り針係止部とを備えている。フレームは、スプールの左右に配置された１対の側板と、両側板を連結する複数の連結部とを有している。１対の側カバー部材は、各側板の側方を覆うよう装着されている。前カバー部材は、フレームの前方を覆うように装着されている。また、前カバー部材は、フレームに揺動かつ前後移動自在に装着され、前方に引っ張られる力に抗してフレームに保持される保持部を有する。釣り針係止部は、前カバー部材から外方に間隔を隔てて配置された棒状の部材である。
【００１５】
この構造では、釣り針を棒状の釣り針係止部に係止すれば、釣り針係止部が前カバー部材から外方に間隔を隔てて配置されているので、釣り針がリール本体に当たりにくくなり、リール本体を傷つけにくい。しかも、釣り針係止部がリール本体の前側に配置されているので、リール本体をパーミングしても、釣り針係止部が邪魔になることはない。また、前カバー部材が開閉するので、釣り糸をレベルワインド機構の釣り糸ガイドに通しやすい。さらに、前カバー部材が引っ張られても簡単にフレームから外れない。このため、開閉する前カバー部材に設けられた釣り針係止部に釣り針を係止した状態で釣り糸が引っ張られても、前カバー部材が開きにくい。
【００１６】
【発明の実施の形態】
図１において、本発明の一実施形態による両軸受リールであるベイトキャスティングリールは、リール本体１と、リール本体１の側方に配置されたスプール回転用ハンドル２と、ハンドル２のリール本体１側に配置されたドラグ調整用のスタードラグ３とを備えている。
【００１７】
図２で示すように、リール本体１は、合成樹脂製のフレーム５と、フレーム５の両側方に装着された合成樹脂製の第１カバー６及び第２カバー７とを有している。フレーム５は、所定の間隔をあけて互いに対向するように配置された１対の側板８，９と、これらの側板８，９を連結する複数の連結部１１（後部のみ図示している）とを有している。
【００１８】
フレーム５の前部には、図１及び図２に示すように、開閉する前カバー１２が装着されている。前カバー１２は、側板８，９間の前部（図２の上部）にわたされた揺動軸１０に揺動かつ前後移動自在に装着されている。前カバー１２は、図４に示す装着位置と図５に示す前進位置との間で前後に移動し、かつ前進位置から図６に示す開位置に揺動自在になっている。このような前カバーの装着構造は、実開昭６３−３３７８０号公報に開示された構造と実質的に同じである。前カバー１２は、レベルワインド機構１６（後述）の釣り糸ガイド２７を臨む横長の開口１２ａを前部に有している。この開口１２ａの上部から前方に間隔を隔てて釣り針係止部１３が設けられている。また、前カバー１２は、図１、図３、図５及び図６に示すように、フレーム５に保持される１対の保持爪１２ｂをその上辺内側に有している。この保持爪１２ｂにより前カバー１２は、前方に引っ張られる力に抗してフレーム５に保持される。
【００１９】
釣り針係止部１３は、図１、図３及び図４に示すように、金属製の線材を折り曲げて形成されたものである。釣り針係止部１３は、開口１２ａの上側に沿って左右に配置された横部材１３ａと、横部材１３ａの両端から前カバー１２の側部に固着される１対の側部材１３ｂとを有する。側部材１３ｂは、横部材１３ａの両端から折り曲げられて前カバー１２の側部に沿って斜め上方に延び、さらに折り曲げられて斜め下方に延び、先端が前カバー１２の側部に固着されている。釣り針係止部１３は、超音波振動を全体に印加しながら前カバー１２に形成された穴に側部材１３ｂの先端を圧入することで、前カバー１２に固着される。この釣り針係止部１３は、ルアー等の疑似餌に装着された釣り針を引っ掛けるために設けられている。
【００２０】
このような釣り針係止部１３を設けると、リール本体１を傷つけることなく釣り針を係止できるとともに、折り曲げられた線材によりデザイン的にも他のリールにない斬新さを表現できる。また、釣り針係止部１３が開口１２ａの上部に前方に間隔を隔てて設けられているので、釣り竿との間隔も適度になり、釣り針を装着したルアーが釣り針の係止の邪魔にならず、ルアーに装着された釣り針でも釣り針係止部１３に簡単に係止できる。
【００２１】
フレーム５内には、図２に示すように、スプール１５と、スプール１５に均一に釣り糸を巻くためのレベルワインド機構１６と、サミングを行う場合の親指の当てとなるサムレスト１７とが配置されている。またフレーム５と第２カバー７との間には、ハンドル２からの回転力をスプール１５及びレベルワインド機構１６に伝えるためのギア機構１８と、クラッチの係脱を行うためのクラッチ係脱機構１９と、サムレスト１７の操作に応じてクラッチの係脱を制御するための係脱制御機構２０と、ドラグ機構２１と、スプール１５の回転時の抵抗力を調整するためのキャスティングコントロール機構２２とが配置されている。また、フレーム５と第１カバー６との間には、キャスティング時のバックラッシュを抑えるためのマグネットブレーキ機構２３が配置されている。
【００２２】
スプール１５は両側部にフランジ部１５ａを有しており、両フランジ部１５ａの間に糸巻胴部１５ｂを有している。スプール１５はその中心を貫通するスプール軸１４に固定されている。スプール軸１４は軸受によってフレーム５に回転自在に支持されており、第２カバー７側の端部は第２カバー７を貫通して側方に突出するように延びている。
【００２３】
レベルワインド機構１６は、１対の側板８，９間に固定されたガイド筒２５と、ガイド筒２５内に回転自在に支持された螺軸２６と、釣り糸ガイド２７とを有している。螺軸２６の端部には、ギヤ機構１８を構成するギヤ２８が固定されている。また、螺軸２６には螺旋状の交差する溝２６ａが形成されており、釣り糸ガイド２７の一部がこの螺旋状の溝２６ａに噛み合っている。このため、ギヤ機構１８を介して螺軸２６が回転させられることにより、釣り糸ガイド２７はガイド筒２５に沿って往復動する。
【００２４】
ギヤ機構１８は、ハンドル軸３０に固定されたマスターギア３１と、マスターギア３１に噛み合うピニオン３２と、前述の螺軸２６端部に固定されたギヤ２８とを有している。
【００２５】
ピニオン３２は、一端側外周部に形成された歯部３２ａと、他端側に形成された噛み合い部３２ｂと、歯部３２ａと噛み合い部３２ｂとの間に形成された小径部３２ｃとを有している。噛み合い部３２ｂの中心部には係合溝が形成されており、スプール軸１４に形成された係合凸部１４ａと係合あるいは離脱が可能である。このようなピニオン３２の噛み合い部３２ｂとスプール軸１４の係合凸部１４ａとによりクラッチ機構が構成されている。ここでは、ピニオン３２が外方に移動してその噛み合い部３２ｂの係合溝とスプール軸１４の係合凸部１４ａとが離脱すると、ハンドル軸３０からの回転力はスプール軸１４に伝達されない。
【００２６】
サムレスト１７は、１対の側板８，９間の後部（図２下方）でスプール後方に配置されている。また、フレーム５の側板８，９には長孔（図示せず）が形成されており、サムレスト１７の回転軸１７ａがこの長孔に回転自在に支持されている。このため、サムレスト１７は長孔に沿って上下方向にスライドすることも可能である。なお、サムレスト１７の前側面は後側の連結部１１に当接しており、このため回転可能な角度が規制されている。
【００２７】
クラッチ係脱機構１９はクラッチヨーク４０を有している。クラッチヨーク４０は、スプール軸１４の外周側に配置されており、２本のピン４１によってスプール軸１４の軸芯と平行に移動可能に支持されている。なお、スプール軸１４はクラッチヨーク４０に対して相対回転が可能である。すなわち、スプール軸１４が回転しても、クラッチヨーク４０は回転しないようになっている。また、クラッチヨーク４０はその中央部にピニオン３２の小径部３２ｃに係合する係合部４０ａを有している。またクラッチヨーク４０を支持する各ピン４１の外周で、クラッチヨーク４０と第２カバー７との間にはスプリング４２が配置されており、クラッチヨーク４０は常にスプリング４２によって内方（フレーム５側）に付勢されている。
【００２８】
このような構成では、通常状態ではピニオン３２は内方のクラッチ係合位置に位置しており、その噛み合い部３２ｂとスプール軸１４の係合凸部１４ａとが係合してクラッチ係合状態となっている。一方、クラッチヨーク４０によってピニオン３２が外方に移動した場合は、噛み合い部３２ｂと係合凸部１４ａとの係合が外れ、クラッチ離脱状態となる。
【００２９】
係脱制御機構２０は、サムレスト１７の上下スライドに応じて、クラッチヨーク４０を外方に移動させる。
【００３０】
ドラグ機構２１は、マスターギア３１に押圧される摩擦プレート６０と、スタードラグ３の回転操作によって摩擦プレート６０をマスターギア３１に所定の力で押圧するための押圧プレート６１とを有している。
【００３１】
キャスティングコントロール機構２２は、スプール軸１４を挟むように配置された複数のプレート６２，６３と、プレート６２，６３によるスプール軸１４の挟持力を調節するためのキャップ６４とを有している。キャップ６４の内周部には雌ねじが形成されており、第２カバー７側に形成された雄ねじと噛み合っている。
【００３２】
マグネットブレーキ機構２３は、ブレーキケース６５と、ブレーキケース６５内に設けられたマグネットホルダー６６と、マグネットホルダー６６に対向するアルミ板等の導体部材６７と、ブレーキ力調整用の把手部６８とを有している。ブレーキケース６５は一方の側板８に固定され、導体部材６７はスプール軸１４に固定されている。そしてマグネットホルダー６６はブレーキケース６５内に配置されており、導体部材６７と対向する面に複数のマグネット６９を有している。マグネットホルダー６６の背面側（外方側）には把手部６８側に突出する２本のピン７０（図では１本のみを示している）が固定されている。一方、把手部６８の内周面には斜板カム部が形成されており、この斜板カム部にピン７０が当接している。このような構成では、把手部６８を回転させることにより、ピン７０を介してマグネット６９と導体部材６７との間の間隙を調整し、ブレーキ力を調整することが可能である。
【００３３】
次に、リール動作について説明する。
キャスティングを行う場合は、サムレスト１７が下方に押される。これによりクラッチヨーク４０が外側に移動させられる。そして、クラッチヨーク４０に係合するピニオン３２も同方向に移動させられる。この状態ではピニオン３２の噛み合い部３２ｂとスプール軸１４の係合凸部１４ａとの噛み合いが外れ、クラッチオフ状態になる。このクラッチオフ状態では、スプール１５は自由に回転できる。このクラッチオフ状態で右手で釣り竿を握り、サミングしながら釣り竿をキャスティングすると、釣り糸がルアーの遠心力で繰り出される。
【００３４】
釣り糸を繰り出してルアーが所望の水面に着水すると、リールを左手に持ち替え釣り竿とともにパーミングという握り方で握り、ハンドル２に右手を添える。このパーミングしている状態で、釣り針係止部１３は、前カバー１２に固着されているので、パーミングの邪魔になることはない。そして、ハンドル２を少し回してクラッチをオンし、釣り竿やリールを操作してルアーを動かして魚がヒットするのを待つ。このとき、ハンドル２を回転させると、スプール１５は糸巻取方向に回転する。ルアーに魚がヒットするとハンドル２を回転させて釣り糸を巻き取る。
【００３５】
釣り糸を巻き取った後に釣り場を移動するとき等には、クラッチオンの状態でルアーに装着された釣り針を釣り針係止部１３に引っ掛ける。この釣り針係止部１３は、開口１２ａの前方に間隔を隔てて配置されているので、釣り針が簡単に引っ掛かり、前カバー１２や、他のカバー６，７を傷つけにくい。この状態で釣り糸を弛まない程度に巻き取れば、釣り針が釣り針係止部１３から外れにくくなる。
【００３６】
〔他の実施形態〕
（ａ）  前記実施形態では前カバー１２がフレーム５に揺動かつ前後移動可能に装着されていたが、前カバー１２を、図７に示すようにフレーム５に固定してもよい。図７において、前カバー１２は、第１カバー６及び第２カバー７をそれぞれ貫通する２本のタップネジ１２ｃによりフレーム５の側板８，９に固定されている。このように前カバー１２をフレーム５に固定すると、それに設けられた釣り針係止部１３も動かなくなり、釣り竿の弾性により係止された釣り針が引っ張られても釣り針係止部１３から外れることがない。なお、固定位置はフレーム５に限定されず、第１，第２カバー６，７に固定してもよい。
【００３７】
（ｂ）  釣り針係止部１３の位置は、開口１２ａの上側に限定されるものではなく、前カバー１２の外方であればどこでもよい。
【００３８】
（ｃ）  釣り針係止部１３の材質は金属に限定されず、棒状のものであれば、合成樹脂や木材等の材質でもよい。
【００３９】
【発明の効果】
本発明によれば、釣り針係止部が前カバー部材の開口の上部から前方に間隔を隔てて配置されているので、釣り針がリール本体に当たりにくくなり、リール本体を傷つけにくい。しかも、釣り針係止部がリール本体の前側に配置されているので、リール本体をパーミングしても、釣り針係止部が邪魔になることはない。
【図面の簡単な説明】
【図１】本発明の一実施形態による両軸受リールの斜視図。
【図２】その両軸受リールの断面平面図。
【図３】その両軸受リールの平面図。
【図４】その両軸受リールの右側面図。
【図５】その両軸受リールの前カバーが前進位置にあるときの右側面図。
【図６】その両軸受リールの前カバーが開位置にある時の右側面図。
【図７】他の実施形態の図３に相当する部分断面平面図。
【符号の説明】
１  リール本体
５  フレーム
６  第１カバー
７  第２カバー
８，９  側板
１０  揺動軸
１１  連結部
１２  前カバー
１２ａ  開口
１２ｂ  保持爪
１２ｃ  タップネジ
１３  釣り針係止部
１３ａ  横部材
１３ｂ  側部材
１５  スプール
【図１】
0003560448.tif 000002
【図２】
0003560448.tif 000003
【図３】
0003560448.tif 000004
【図４】
0003560448.tif 000005
【図５】
0003560448.tif 000006
【図６】
0003560448.tif 000007
【図７】
0003560448.tif 000008